(57)【要約】【課題】  振り子ギアを必要に応じて固定ギアとして使用し、振り子ギアを取り付けるベース部材は共通で、異なった駆動伝達系を形成する。【解決手段】  ベース部材に、振り子ギアが振り子ギアとして機能する第１のセット位置と、第１のセット位置において、振り子ギアが回動する範囲外に、振り子ギアが固定ギアとして機能する第２のセット位置を備える。【選択図】        図１
2006349096.tif 000002
【特許請求の範囲】
【請求項１】
太陽ギアと、前記太陽ギアに噛み合う遊星ギアと、前記太陽ギアおよび前記遊星ギアを回転可能に保持する保持部材と、前記太陽ギアの回転により、前記保持部材を回動させる力を付与させる為の弾性部材で構成される振り子ギアの、回転軸を備えたベース部材において、前記振り子ギアが振り子ギアとして機能する第１のセット位置と、前記第１のセット位置において前記振り子ギアが回動する範囲外に、前記振り子ギアが固定ギアとして機能する第２のセット位置を備えたことを特徴とするベース部材。
【請求項２】
前記第２のセット位置における前記振り子ギアの固定は、前記保持部材の一部が、ベース部材の係合部に係合することで実施されることを特徴とする請求項１に記載のベース部材。
【請求項３】
前記第１のセット位置に前記振り子ギアをセットして駆動伝達系を構成する第１の記録装置と、前記第２のセット位置に前記振り子ギアをセットして駆動伝達系を構成する第２の記録装置において、ベース部材が共通のベース部材で構成されることを特徴とする請求項１または２に記載のベース部材。
【請求項４】
前記第２のセット位置に前記振り子ギアをセットする場合は、前記振り子ギア内の弾性部材を取り除いて前記振り子ギアがセットされることを特徴とする請求項１ないし３のいずれかに記載のベース部材。
【発明の詳細な説明】
【技術分野】
【０００１】
本発明は、駆動伝達系を軸支するベース部材に関し、更には、振り子ギアを軸支するベース部材に関する。
【背景技術】
【０００２】
従来、振り子ギアは、それを軸支するベース部材の回転軸に対し回動可能にセットされ、前記回動範囲外に固定ギアとしてセットされることは無く、その場合には、前記ベース部材とは異なったベース部材に、伝達ギアを回動可能に軸支する回転軸を備えることが公知として広く一般的に知られている（例えば特許文献１参照）。
【特許文献１】特開平０５−２１７２５９号公報
【発明の開示】
【発明が解決しようとする課題】
【０００３】
しかしながら、上記従来のベース部材においては、振り子ギア或は、固定ギアという伝達ギアの種類に応じて複数のベース部材を用意する必要があり、前記ベース部材がモールド部材の場合には、複数の金型が必要になりコストが掛かる。或は、前記伝達ギアも複数種類必要になり、コストが掛かる。また、部品管理も煩雑になるという課題があった。
【０００４】
また、前記固定ギアとして使用する伝達ギアの為の回転軸を前記ベース部材に備えようとした時、駆動伝達系を最短で構成する為の前記回転軸を備えるスペースが無く、駆動伝達系を複雑にして対応する必要がある等、低コスト化および省スペースに関して妨げになるという課題があった。
【０００５】
本発明は上述の問題点に着目して成されたものであって、安価で、かつ、省スペースな構成で複数の伝達系の構成を実現するベース部材を提供することを目的とする。
【課題を解決するための手段】
【０００６】
上記目的を達成するために、本発明に係る構成は、太陽ギアと、前記太陽ギアに噛み合う遊星ギアと、前記太陽ギアおよび前記遊星ギアを回転可能に保持する保持部材と、前記太陽ギアの回転により、前記保持部材を回動させる力を付与させる為の弾性部材で構成される振り子ギアの、回転軸を備えたベース部材において、前記振り子ギアが振り子ギアとして機能する第１のセット位置と、前記第１のセット位置において前記振り子ギアが回動する範囲外に、前記振り子ギアが固定ギアとして機能する第２のセット位置を備えたベース部材である。
【発明の効果】
【０００７】
本発明によれば、共通のベース部材および共通の振り子ギアで複数の伝達系を構成することが可能である。すなわち、本発明によれば、安価で、かつ、省スペースな構成で複数の伝達系の構成を提供することができる。
【発明を実施するための最良の形態】
【０００８】
以下に本発明を実施するための最良の形態を、実施例に基づいて説明する。
【実施例】
【０００９】
［第１の実施形態］
本発明の記録装置の第１の実施形態について説明する。
【００１０】
図１〜図４は、本発明の第１実施形態を説明する為の駆動伝達系の側面図（図１、図２、図３）、断面図（図４）である。
【００１１】
２００は振り子ギアであり、保持部材２、太陽ギア６、遊星ギア７、そして、保持部材２と前記太陽ギア６との間に、摩擦力を発生させることで前記振り子ギア２００を回動可能にする不図示の弾性部材で構成され、後述する伝達ギア８と伝達ギア９の間に前記遊星ギア７が位置するように、前記太陽ギア６をベース１の回転中心軸１Ｃに挿入することで、前記振り子ギア２００は、前記ベース１の回転中心軸１Ｃを回転中心として、前記ベース１に回動可能に軸支される。
【００１２】
そして、前記振り子ギア２００は、不図示の駆動源であるモータに圧入されているモータギア３の図１中矢印Ａ方向の回転で、減速ギア４およびアイドラギア５を介して、前記太陽ギア６が図１中矢印Ｂ方向に回転することで、図１中矢印Ｃ方向に回動し、遊星ギア７を介して伝達ギア８を図１中矢印Ｄ方向に回転させる。
【００１３】
また、前記保持部材２を不図示の移動可能な係止部材で係止することにより、前記モータギア３が図１中矢印Ａ方向とは逆の回転をしても、前記振り子ギア２００は図１の状態を維持し、前記遊星ギア７を介して、前記伝達ギア８を図１中矢印Ｄ方向とは逆に回転させることが可能になる。
【００１４】
この時、前記伝達ギア８を、例えば、特開２００４−０４２３９２で述べられている様な、クリーニング機構に駆動を伝達するギアとして備えることができる。
【００１５】
また、前記保持部材２を前記係止部材で係止すること無しに、前記モータギア３を図２中矢印Ｅ方向に回転させると、前記減速ギア４および前記アイドラギア５を介して、前記太陽ギア６は図２中矢印Ｆ方向に回転することで、前記振り子ギア２００は図２中矢印Ｇ方向に回動し、前記遊星ギア７を介して前記伝達ギア９に駆動を伝達することになる。
【００１６】
この時、前記伝達ギア９を、特開２００４−０４２３９２で述べられているような、給紙機構に駆動を伝達するギアとして備えることができる。
【００１７】
次に、例えば、特開２００４−０４２３９２で示したような給紙機構が必要ではない場合など、前記伝達ギア９が不必要な場合は、図３および図４に示したように、前記振り子ギア２００から、前記不図示の弾性部材を取り除いた振り子ギア２００’を、前記振り子ギア２００’の保持部材２に設けた凸部２ａが、前記ベース１の凸部１ａに設けた凹部１ｂに嵌合する位置に取り付けると、前記振り子ギア２００’は、図３に示した位置での固定ギアとなる。
【００１８】
この場合も、前記伝達ギア８を、例えば、特開２００４−０４２３９２で述べられているような、クリーニング機構に駆動を伝達するギアとして備えることができる。
【００１９】
そして、この時は、前記移動可能な係止部材で、前記保持部材２を係止する必要が無いため、前記移動可能な係止部材も不必要になる。
【００２０】
以上説明した様に、本実施形態によれば、前記振り子ギア２００と、前記振り子ギア２００から不図示の弾性部材を取り除いた前記振り子ギア２００’を、共通なベース１に対し、前記太陽ギア６の前記回転中心軸１Ｃは共通で、前記遊星ギア７が異なる位置になるように取り付けることによって、異なった駆動伝達系を形成することができ、これにより、異なった記録装置を、安価で、かつ、省スペースな構成で提供することが可能になった。
【００２１】
［第２の実施形態］
前述した実施形態では、振り子ギアを固定ギアとして使用する場合の前記ベース１に対する前記保持部材２の回動防止を、前記ベース１の凸部１ａに設けた凹部１ｂに対する、前記保持部材２に設けた凸部２ａの嵌合で実施したが、前記凹部１ｂを丸穴とし、前記凸部２ａを丸軸とした、穴および軸の嵌合としても、前述したのと同様の説明で、同様の効果を得ることができる。
【００２２】
また、前記振り子ギア２００が、振り子ギアとして回動する範囲内で支障の無い範囲内であれば、振り子ギアを固定ギアとして使用する場合の前記ベース１に対する前記保持部材２の回動防止の構成は、前述した構成に限定されるものではないということは、勿論である。
【００２３】
また、前記伝達ギア８および伝達ギア９の駆動伝達先が、前述した機構に限定されるものでは無いということも勿論である。
【図面の簡単な説明】
【００２４】
【図１】本発明の第１実施形態における駆動伝達系で、振り子ギアを第１のセット位置に配置した側面図
【図２】本発明の第１実施形態における駆動伝達系の側面図で、図１の状態変化図
【図３】本発明の第１実施形態における駆動伝達系で、振り子ギアを第２のセット位置に配置した側面図
【図４】本発明の第１実施形態における駆動伝達系で、振り子ギアを第２のセット位置に配置した断面図
【符号の説明】
【００２５】
１  ベース
２  保持部材
３  モータギア
４  減速ギア
５  アイドラギア
６  太陽ギア
７  遊星ギア
８、９  伝達ギア
２００  振り子ギア
【図１】
2006349096.tif 000003
【図２】
2006349096.tif 000004
【図３】
2006349096.tif 000005
【図４】
2006349096.tif 000006